(57)【要約】【課題】  適切な時間や場所において情報を提供することができる情報提供システム、その方法、携帯通信端末、情報管理装置、管理装置およびプログラムを提供する。【解決手段】  携帯通信端末１００は、データの送信を行なうときに情報管理装置２１０が生成した位置情報等をＬＥＤ照明２００から取得し、位置情報等をデータに付加してメールサーバ３００に送信する。メールサーバ３００は、位置情報等と該位置情報等に関連する商品・サービス情報を対応付けて格納するデータベースから対応する商品・サービス情報を抽出して、携帯通信端末１００に送信する。【選択図】  図１
2006180217.tif 000002
【特許請求の範囲】
【請求項１】
ネットワークを介して接続されているユーザ端末と、位置を特定するための特定情報を送信する位置情報装置と、管理装置と、を含む情報提供システムであって、
前記ユーザ端末は、前記管理装置とのデータの送受信を行なう第１の送受信手段と、
前記データの送信を行なうときに前記位置情報装置から前記特定情報を取得する特定情報取得手段と、
取得した前記特定情報をデータに付加して前記管理装置に送信するよう制御する制御手段と、
前記管理装置から受信した商品・サービス情報を出力する出力手段と、
を備え、
前記管理装置は、前記ユーザ端末とのデータの送受信を行なう第２の送受信手段と、
前記特定情報と該特定情報に関連する商品・サービス情報を対応付けて格納するデータベースと、
前記ユーザ端末からデータを受信したときにそのデータに前記特定情報が含まれるか否かを判定し、前記特定情報が含まれる場合には、前記データベースから対応する商品・サービス情報を抽出する判定手段と、を備え、
前記管理装置は、前記判定手段で抽出された前記商品・サービス情報を前記第２の送受信手段により前記ユーザ端末に送信することを特徴とする情報提供システム。
【請求項２】
前記データベースには、キーワードと該キーワードに関連する商品・サービス情報が対応付けられてさらに格納されており、
前記判定手段は、前記ユーザ端末から受信したデータに含まれる前記特定情報および受信したデータを解析してそのデータに含まれるキーワード情報に基づき、前記データベースから対応する商品・サービス情報を抽出することを特徴とする請求項１記載の情報提供システム。
【請求項３】
前記位置情報装置は、ＬＥＤ可視光により前記特定情報を送信することを特徴とする請求項１または２記載の情報提供システム。
【請求項４】
ネットワークを介して接続されているユーザ端末と、位置を特定するための特定情報を送信する位置情報装置と、管理装置と、を利用した情報提供方法であって、
前記ユーザ端末が、特定情報取得手段によってデータの送信を行なうときに前記位置情報装置から前記特定情報を取得するステップと、
制御手段によって取得した前記特定情報をデータに付加して前記管理装置に送信するよう制御するステップと、
第１の送受信手段によって前記管理装置とのデータの送受信を行なうステップと、を有し、
前記管理装置が、第２の送受信手段によって前記ユーザ端末とのデータの送受信を行なうステップと、
判定手段によって前記ユーザ端末からデータを受信したときにそのデータに前記特定情報が含まれるか否かを判定し、前記特定情報が含まれる場合には、前記特定情報と該特定情報に関連する商品・サービス情報を対応付けて格納するデータベースから対応する商品・サービス情報を抽出するステップと、
前記第２の送受信手段によって前記判定手段で抽出された前記商品・サービス情報を前記ユーザ端末に送信するステップと、を有し、
前記ユーザ端末が、出力手段によって前記管理装置から受信した商品・サービス情報を出力するステップをさらに有することを特徴とする情報提供方法。
【請求項５】
前記データベースには、キーワードと該キーワードに関連する商品・サービス情報が対応付けられてさらに格納されており、
前記商品・サービス情報を抽出するステップにおいて、前記管理装置が、前記判定手段によって前記ユーザ端末から受信したデータに含まれる前記特定情報および受信したデータを解析してそのデータに含まれるキーワード情報に基づき、前記データベースから対応する商品・サービス情報を抽出することを特徴とする請求項４記載の情報提供方法。
【請求項６】
前記位置情報装置は、ＬＥＤ可視光により前記特定情報を送信することを特徴とする請求項４または５記載の情報提供方法。
【請求項７】
データの送受信を行なう送受信手段と、
前記データの送信を行なうときに位置を特定するための特定情報を取得する特定情報取得手段と、
取得した前記特定情報をデータに付加して送信するよう制御する制御手段と、
受信した商品・サービス情報を出力する出力手段と、
を備えることを特徴とする携帯通信端末。
【請求項８】
前記特定情報取得手段は、ＬＥＤ可視光による特定情報を取得することを特徴とする請求項７記載の携帯通信端末。
【請求項９】
位置を特定するための特定情報を生成する生成手段と、
ユーザ端末が、管理装置とのデータの送受信を行なうときに位置情報装置から前記特定情報を取得するために、前記位置情報装置に前記特定情報を送る送出手段と、
前記位置情報装置に前記特定情報を送ることを停止するよう制御する制御手段と、
を備えることを特徴とする情報管理装置。
【請求項１０】
管理装置が有する、前記特定情報と該特定情報に関連する商品・サービス情報と配信情報とキーワードを対応付けて格納するデータベースに情報を書き込む書込手段と、
前記データベースの情報を変更および削除する変更手段と、
をさらに備えることを特徴とする請求項９記載の情報管理装置。
【請求項１１】
データの送受信を行なう送受信手段と、
位置を特定するための特定情報と該特定情報に関連する商品・サービス情報を対応付けて格納するデータベースと、
データを受信したときにそのデータに前記特定情報が含まれるか否かを判定し、前記特定情報が含まれる場合には、前記データベースから対応する商品・サービス情報を抽出する判定手段と、を備え、
前記判定手段で抽出された前記商品・サービス情報を前記送受信手段により送信することを特徴とする管理装置。
【請求項１２】
前記データベースには、キーワードと該キーワードに関連する商品・サービス情報が対応付けられてさらに格納されており、
前記判定手段は、受信したデータに含まれる前記特定情報および受信したデータを解析してそのデータに含まれるキーワード情報に基づき、前記データベースから対応する商品・サービス情報を抽出することを特徴とする請求項１１記載の管理装置。
【請求項１３】
前記特定情報は、ＬＥＤ可視光による特定情報であることを特徴とする請求項１１または１２記載の管理装置。
【請求項１４】
ユーザ端末に、特定情報取得手段によってデータの送信を行なうときに位置情報装置から位置を特定するための特定情報を取得するステップと、
制御手段によって取得した前記特定情報をデータに付加して管理装置に送信するよう制御するステップと、
第１の送受信手段によって前記管理装置とのデータの送受信を行なうステップと、を実行させ、
前記管理装置に、第２の送受信手段によって前記ユーザ端末とのデータの送受信を行なうステップと、
判定手段によって前記ユーザ端末からデータを受信したときにそのデータに前記特定情報が含まれるか否かを判定し、前記特定情報が含まれる場合には、前記特定情報と該特定情報に関連する商品・サービス情報を対応付けて格納するデータベースから対応する商品・サービス情報を抽出するステップと、
前記第２の送受信手段によって前記判定手段で抽出された前記商品・サービス情報を前記ユーザ端末に送信するステップと、を実行させ、
前記ユーザ端末に、出力手段によって前記管理装置から受信した商品・サービス情報を出力するステップをさらに実行させることを特徴とするプログラム。
【請求項１５】
前記データベースには、キーワードと該キーワードに関連する商品・サービス情報が対応付けられてさらに格納されており、
前記商品・サービス情報を抽出するステップにおいて、前記管理装置に、前記判定手段によって前記ユーザ端末から受信したデータに含まれる前記特定情報および受信したデータを解析してそのデータに含まれるキーワード情報に基づき、前記データベースから対応する商品・サービス情報を抽出させることを特徴とする請求項１４記載のプログラム。
【請求項１６】
前記位置情報装置は、ＬＥＤ可視光により前記特定情報を送信することを特徴とする請求項１４または１５記載のプログラム。
【発明の詳細な説明】
【技術分野】
【０００１】
本発明は、携帯通信端末の位置に基づいて情報を提供する情報提供システム、その方法、携帯通信端末、情報管理装置、管理装置およびプログラムに関する。
【背景技術】
【０００２】
従来、利用者が事前にプロフィール、興味分野等を登録し、関連する情報を電子メールで受信する電子メールサービスが存在した。例えば、利用者に無料の電子メールアドレスや記憶領域を提供するサービスにおいて、利用料を無料とする代わりに、また利用者の希望有無に係わらず、事前に登録を行なったプロフィール、興味分野に基づき、関連する情報である広告を電子メールで配信するサービスがあった。
【０００３】
ここで、処理端末装置は、位置取得部においてＧＰＳで位置情報を取得し、それを電子メールのような蓄積交換型の情報パッケージにしてＧＰＳサーバ宛に送信し、そして、ＧＰＳサーバは、位置情報をＷＡＤＧＰＳを用いて高精度の相対測位された情報に補正し、その位置情報に基づきネットワーク上等の膨大な情報の中からユーザの希望する情報を収集し、電子メールにパッケージングしてユーザに発送し、ユーザは、受信部でこの電子メールを受けて、出力部で梱包された情報を解凍することによって、小型で携帯可能な処理端末装置を用いて旅先等で望みの情報を手軽に入手することができる技術が提案されている（例えば、特許文献１参照）。
【特許文献１】特開２００３−５７３３２号公報
【発明の開示】
【発明が解決しようとする課題】
【０００４】
しかしながら、上述した従来例においては次のような問題点があった。
【０００５】
配信される電子メールが興味分野に関連するものであったとしても、受信するタイミングである受信時間、場所等によっては、まったく興味を持たない、または持たれない電子メールとなってしまうという問題点があった。
【０００６】
そこで、本発明は、適切な時間や場所において情報を提供することができる情報提供システム、その方法、携帯通信端末、情報管理装置、管理装置およびプログラムを提供することを目的とする。
【課題を解決するための手段】
【０００７】
請求項１記載の発明は、ネットワークを介して接続されているユーザ端末と、位置を特定するための特定情報を送信する位置情報装置と、管理装置と、を含む情報提供システムであって、ユーザ端末は、管理装置とのデータの送受信を行なう第１の送受信手段と、データの送信を行なうときに位置情報装置から特定情報を取得する特定情報取得手段と、取得した特定情報をデータに付加して管理装置に送信するよう制御する制御手段と、管理装置から受信した商品・サービス情報を出力する出力手段とを備え、管理装置は、ユーザ端末とのデータの送受信を行なう第２の送受信手段と、特定情報と該特定情報に関連する商品・サービス情報を対応付けて格納するデータベースと、ユーザ端末からデータを受信したときにそのデータに特定情報が含まれるか否かを判定し、特定情報が含まれる場合には、データベースから対応する商品・サービス情報を抽出する判定手段とを備え、管理装置は、判定手段で抽出された商品・サービス情報を第２の送受信手段によりユーザ端末に送信することを特徴とする情報提供システムである。
【０００８】
請求項２記載の発明は、請求項１記載の情報提供システムにおいて、データベースには、キーワードと該キーワードに関連する商品・サービス情報が対応付けられてさらに格納されており、判定手段は、ユーザ端末から受信したデータに含まれる特定情報および受信したデータを解析してそのデータに含まれるキーワード情報に基づき、データベースから対応する商品・サービス情報を抽出する。
【０００９】
請求項３記載の発明は、請求項１または２記載の情報提供システムにおいて、位置情報装置は、ＬＥＤ可視光により特定情報を送信する。
【００１０】
請求項４記載の発明は、ネットワークを介して接続されているユーザ端末と、位置を特定するための特定情報を送信する位置情報装置と、管理装置と、を利用した情報提供方法であって、ユーザ端末が、特定情報取得手段によってデータの送信を行なうときに位置情報装置から特定情報を取得するステップと、制御手段によって取得した特定情報をデータに付加して管理装置に送信するよう制御するステップと、第１の送受信手段によって管理装置とのデータの送受信を行なうステップとを有し、管理装置が、第２の送受信手段によってユーザ端末とのデータの送受信を行なうステップと、判定手段によってユーザ端末からデータを受信したときにそのデータに特定情報が含まれるか否かを判定し、特定情報が含まれる場合には、特定情報と該特定情報に関連する商品・サービス情報を対応付けて格納するデータベースから対応する商品・サービス情報を抽出するステップと、第２の送受信手段によって判定手段で抽出された商品・サービス情報をユーザ端末に送信するステップとを有し、ユーザ端末が、出力手段によって管理装置から受信した商品・サービス情報を出力するステップをさらに有することを特徴とする情報提供方法である。
【００１１】
請求項５記載の発明は、請求項４記載の情報提供方法において、データベースには、キーワードと該キーワードに関連する商品・サービス情報が対応付けられてさらに格納されており、商品・サービス情報を抽出するステップにおいて、管理装置が、判定手段によってユーザ端末から受信したデータに含まれる特定情報および受信したデータを解析してそのデータに含まれるキーワード情報に基づき、データベースから対応する商品・サービス情報を抽出する。
【００１２】
請求項６記載の発明は、請求項４または５記載の情報提供方法において、位置情報装置は、ＬＥＤ可視光により特定情報を送信する。
【００１３】
請求項７記載の発明は、データの送受信を行なう送受信手段と、データの送信を行なうときに位置を特定するための特定情報を取得する特定情報取得手段と、取得した特定情報をデータに付加して送信するよう制御する制御手段と、受信した商品・サービス情報を出力する出力手段とを備えることを特徴とする携帯通信端末である。
【００１４】
請求項８記載の発明は、請求項７記載の携帯通信端末において、特定情報取得手段は、ＬＥＤ可視光による特定情報を取得する。
【００１５】
請求項９記載の発明は、位置を特定するための特定情報を生成する生成手段と、ユーザ端末が、管理装置とのデータの送受信を行なうときに位置情報装置から特定情報を取得するために、位置情報装置に特定情報を送る送出手段と、位置情報装置に特定情報を送ることを停止するよう制御する制御手段とを備えることを特徴とする情報管理装置である。
【００１６】
請求項１０記載の発明は、請求項９記載の情報管理装置において、管理装置が有する、特定情報と該特定情報に関連する商品・サービス情報と配信情報とキーワードを対応付けて格納するデータベースに情報を書き込む書込手段と、データベースの情報を変更および削除する変更手段とをさらに備える。
【００１７】
請求項１１記載の発明は、データの送受信を行なう送受信手段と、位置を特定するための特定情報と該特定情報に関連する商品・サービス情報を対応付けて格納するデータベースと、データを受信したときにそのデータに特定情報が含まれるか否かを判定し、特定情報が含まれる場合には、データベースから対応する商品・サービス情報を抽出する判定手段とを備え、判定手段で抽出された商品・サービス情報を送受信手段により送信することを特徴とする管理装置である。
【００１８】
請求項１２記載の発明は、請求項１１記載の管理装置において、データベースには、キーワードと該キーワードに関連する商品・サービス情報が対応付けられてさらに格納されており、判定手段は、受信したデータに含まれる特定情報および受信したデータを解析してそのデータに含まれるキーワード情報に基づき、データベースから対応する商品・サービス情報を抽出する。
【００１９】
請求項１３記載の発明は、請求項１１または１２記載の管理装置において、特定情報は、ＬＥＤ可視光による特定情報である。
【００２０】
請求項１４記載の発明は、ユーザ端末に、特定情報取得手段によってデータの送信を行なうときに位置情報装置から位置を特定するための特定情報を取得するステップと、制御手段によって取得した特定情報をデータに付加して管理装置に送信するよう制御するステップと、第１の送受信手段によって管理装置とのデータの送受信を行なうステップと、を実行させ、管理装置に、第２の送受信手段によってユーザ端末とのデータの送受信を行なうステップと、判定手段によってユーザ端末からデータを受信したときにそのデータに特定情報が含まれるか否かを判定し、特定情報が含まれる場合には、特定情報と該特定情報に関連する商品・サービス情報を対応付けて格納するデータベースから対応する商品・サービス情報を抽出するステップと、第２の送受信手段によって判定手段で抽出された商品・サービス情報をユーザ端末に送信するステップとを実行させ、ユーザ端末に、出力手段によって管理装置から受信した商品・サービス情報を出力するステップをさらに実行させることを特徴とするプログラムである。
【００２１】
請求項１５記載の発明は、請求項１４記載のプログラムにおいて、データベースには、キーワードと該キーワードに関連する商品・サービス情報が対応付けられてさらに格納されており、商品・サービス情報を抽出するステップにおいて、管理装置に、判定手段によってユーザ端末から受信したデータに含まれる特定情報および受信したデータを解析してそのデータに含まれるキーワード情報に基づき、データベースから対応する商品・サービス情報を抽出させる。
【００２２】
請求項１６記載の発明は、請求項１４または１５記載のプログラムにおいて、位置情報装置は、ＬＥＤ可視光により特定情報を送信する。
【発明の効果】
【００２３】
本発明の情報提供システム、その方法、携帯通信端末、情報管理装置、管理装置およびプログラムによれば、適切な時間や場所において情報を提供することができる。
【発明を実施するための最良の形態】
【００２４】
次に、本発明の一実施の形態の構成について図面を参照して説明する。
【００２５】
図１を参照すると、本実施の形態における情報提供システムは、携帯通信端末１００と、ＬＥＤ照明２００と、情報管理装置２１０と、メールサーバ３００から構成されている。携帯通信端末１００、情報管理装置２１０およびメールサーバ３００はネットワ−ク４００を介して相互に接続されている。ネットワーク４００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００２６】
携帯通信端末１００は、プログラム制御により動作し、図示しない携帯電話基地局を介する通信ネットワークとの接続が可能な携帯電話機、ＰＤＡ等の情報処理装置である。
【００２７】
以下、携帯通信端末１００が携帯電話機である場合を例に、詳細に説明する。図２を参照すると、携帯通信端末１００は、無線部１０２と、受光モジュール１０３と、表示部１０４と、操作部１０５と、音声処理部１０６と、メモリ１１０と、制御部１１１を備えている。
【００２８】
ここで、無線部１０２は、アンテナ１０１を介して図示しない無線基地局との間で無線信号を送受する機能を有している。
【００２９】
受光モジュール１０３は、可視光情報、画像情報等の取得を行なう機能を有している。例えば、カメラ機構である。
【００３０】
表示部１０４は、文字、画像等の各種情報の表示出力を行なう機能を有している。
【００３１】
操作部１０５は、各種情報操作入力、文字入力を行なう機能を有している。例えば、テンキー、スクロール／決定キー等である。
【００３２】
音声処理部１０６は、音声信号の処理を行なう機能を有している。例えば、入出力を行なうマイク１０７、スピーカ（受話用）１０８、楽音・報知音等を出力するスピーカ（報知用）１０９である。
【００３３】
メモリ１１０は、電話帳情報、送受信メール情報、発着呼情報、携帯電話端末の各種設定、プログラム情報等を格納する記憶領域である。
【００３４】
制御部１１１は、電話機能、メール機能、Ｗｅｂ接続機能、カメラ機能である可視光信号の受光機能、可視光信号を復調・解析して情報を取得する機能、携帯通信端末各部の制御等を行なう機能を有している。
【００３５】
ＬＥＤ照明２００は、所定エリア、道路、通路、建物内、移動体である交通機関車等の内部、店舗近傍等に設置される照明装置であって、ＬＥＤを高速でＬＥＤをＯＮ／ＯＦＦ・発光強度制御して高周波点滅させることにより、情報管理装置２１０で生成されたＬＥＤ照明の設置された場所の位置情報、あるいはＬＥＤ照明毎に異なる固有の識別情報であるＩＤ情報を送信する機能を有している。なお、ＬＥＤ光源としては、単色であっても、白、赤、青、緑等の複数色であってもよい。
【００３６】
なお、ＬＥＤ照明２００は、高周波点滅による位置情報等の送信／停止をタイマー機構等により設定可能に構成し、例えば、商品・サービス情報の提供先の営業時間に合わせて、任意の所定時間のみ情報を伝送するようにしてもよい。
【００３７】
情報管理装置２１０は、ＬＥＤ照明２００に接続されており、またネットワーク４００に接続され、メールサーバ３００等とデータのやり取りを行なう情報処理装置である。
【００３８】
図３を参照すると、情報管理装置２１０は、位置情報・識別情報生成部２１１と、位置情報・識別情報停止部２１２と、情報書込・変更部２１３を備えている。
【００３９】
ここで、位置情報・識別情報生成部２１１は、ＬＥＤ照明２００の設置された場所の位置情報、あるいは複数のＬＥＤ照明２００毎に異なる固有の識別情報であるＩＤ情報等を生成して、ＬＥＤ照明２００に送る機能を有している。なお、ＬＥＤ照明２００の設置された場所の位置情報とは、例えば、緯度・経度・高度等によりＬＥＤ照明２００の設置されている場所を特定するための情報であり、また、ＬＥＤ照明２００毎に異なる固有の識別情報とは、予めＬＥＤ照明２００が設置されている場所をマッピングしておき、どのＬＥＤ照明２００がいかなる位置に存在しているかが把握されている等の状況下で、ＬＥＤ照明２００の識別情報に基づいて、そのＬＥＤ照明２００の設置されている場所を割り出す際に用いられる情報である。したがって、位置を特定するための特定情報には、これらの位置情報および識別情報が相当する。
【００４０】
情報書込・変更部２１３は、メールサーバ３００の情報記憶部３０２に種々の情報を追加して書き込んだり、情報の内容を変更・削除したりする機能を有している。
【００４１】
メールサーバ３００は、インターネット等のネットワーク４００に接続され、メール送受信部を介して自身の管理する通信ネットワーク内の利用者の電子メールの送信／受信を行なう管理装置としての情報処理装置である。
【００４２】
図４を参照すると、メールサーバ３００は、メール送受信部３０１と、情報記憶部３０２と、判定部３０３を備えている。
【００４３】
ここで、メール送受信部３０１は、他の通信ネットワークの利用者に電子メールを送信する機能と、自通信ネットワーク内の利用者宛に送信された電子メールを利用者の携帯通信端末１００に送信する、あるいは自通信ネットワーク内の利用者宛に送信された電子メールを保管し、利用者の携帯通信端末１００からの受信要求に応じて送信する機能を有している。
【００４４】
情報記憶部３０２は、例えば、図５に示すような、情報テーブルを格納するデータベースである。情報テーブルには、ＬＥＤ照明２００の位置情報あるいは識別情報と、その位置情報あるいは識別情報の近辺、すなわちＬＥＤ照明が車内等の移動体内に設置されたものである場合は沿線／沿道等で提供される商品・サービス情報と、利用者の携帯通信端末１００に配信する配信情報と、キーワード情報が結び付けられて格納されている。
【００４５】
判定部３０３は、携帯通信端末１００から電子メールを受信したときに、電子メールに位置情報が含まれるか否かを判定し、位置情報が含まれるときは、その位置情報をキーとして情報記憶部３０２の、例えば、情報テーブルを検索して対応する商品・サービス情報を抽出する機能を有している。そして、メール送受信部３０１に携帯通信端末１００に返信するよう制御する。また、判定部３０３は、情報記憶部３０２に格納される情報テーブルに、商品・サービスに対応する配信情報を併せて登録しているときは、商品・サービス情報とともに、配信情報を携帯通信端末１００に対して返信するように制御することであってもよい。
【００４６】
判定部３０３は、情報記憶部３０２に格納される情報テーブルに、商品・サービスに対応するキーワードを併せて登録しているときは、携帯通信端末１００から電子メールを受信したときに、電子メールに含まれる位置情報に加えて、メール内容である本文と、商品・サービスの対応キーワードとの一致を判定し、一致する商品・サービス情報を携帯通信端末１００に対して優先して返信するように制御することであってもよい。
【００４７】
次に、図６を参照して、本実施の形態における、位置情報等に応じて情報提供を行なう処理のフローを詳細に説明する。
【００４８】
まず、携帯通信端末１００は、利用者が暇な時等において利用者の友人や知人宛ての電子メールを作成する（Ｓ６０１）。
【００４９】
次に、携帯通信端末１００は、利用者の操作部１０５の送信操作に応じて、作成した電子メールの送信を行なう（Ｓ６０２）。
【００５０】
携帯通信端末１００の制御部１１１は、受光モジュール１０３であるカメラを起動してＬＥＤ照明２００からの可視光信号の取得を行ない、読込まれた可視光信号を復調（解析）して、現在の位置情報あるいは、ＬＥＤ照明２００に固有の識別情報を入手する（Ｓ６０３）。
【００５１】
携帯通信端末１００は、位置情報等を電子メールに付加あるいは添付する（Ｓ６０４）。
【００５２】
携帯通信端末１００は、位置情報等を付加された電子メールをネットワーク４００を介してメールサーバ３００に無線送信する（Ｓ６０５）。
【００５３】
メールサーバ３００のメール送受信部３０１は、携帯通信端末１００からの電子メールを受信する（Ｓ６０６）。
【００５４】
メールサーバ３００の判定部３０３は、携帯通信端末１００から受信した電子メールに位置情報等が含まれるか否かを判定し、位置情報等が含まれるときは、受信した電子メールに付加されている位置情報等を抽出する（Ｓ６０７）。
【００５５】
メールサーバ３００の判定部３０３は、さらに、電子メールのタイトルや本文を解析する（Ｓ６０８）。
【００５６】
メールサーバ３００の判定部３０３は、位置情報等をキーとして情報記憶部３０２の、例えば、情報テーブルを検索して対応する商品・サービス情報を抽出する（Ｓ６０９）。ここで、情報記憶部３０２に格納される情報テーブルに、商品・サービスに対応する配信情報を併せて登録しているときは、商品・サービス情報とともに、配信情報を抽出することであってもよい。さらに、電子メールのタイトルや本文と、商品・サービス情報の登録キーワードとの一致を判定し、一致している商品・サービス情報が存在する場合は、その商品・サービス情報を抽出することであってもよい。
【００５７】
メールサーバ３００は、予め設定された配信優先順位、配信頻度等に基づき、抽出された商品・サービス情報等を携帯通信端末１００に配信する電子メールを作成する（Ｓ６１０）。
【００５８】
メールサーバ３００は、電子メールを予め設定された配信優先順位、配信頻度等に基づき携帯通信端末１００に送信する（Ｓ６１１）。登録キーワードとの一致がある場合は、優先して送信するように制御することであってもよい。
【００５９】
携帯通信端末１００は、電子メールを受信し（Ｓ６１１）、表示部１０４や音声処理部１０６に電子メールのデータを出力する（Ｓ６１２）。
【００６０】
以上のように、本実施の形態によれば、利用者が電子メールを作成・送信するような比較的に暇な時間である空き時間に、利用者がメールを作成・送信したその瞬間の時刻、場所、移動経路上等で提供可能な情報を送信したり返信したりするので、利用者、配信情報提供者の双方にとって有益（ヒット率高、来店率高）なサービスを提供することができる。
【００６１】
また、利用者の送信した電子メールの内容であるタイトル・本文を参照して、利用者がより興味・関心が高いと思われる商品・サービスの情報の抽出を行なうので、さらなる利便性、有効性等を追及することが可能となる。例えば、携帯通信端末１００が、端末費用、通話・データ通信費用、電子メールアドレスおよびＷｅｂ上の記憶領域に関する費用、の少なくとも一部を無償とする代わりに、公告情報としての電子メールを受信する必要がある端末として利用者に提供されている場合、携帯通信端末１００によるサービス利用である通信と公告情報の受信が同一に処理され、かつ利用者、商品サービス提供者の双方にとって有益な情報の送受を行なうことができるのである。
【００６２】
また、位置情報は、ＬＥＤ照明による可視光により提供されるので、携帯通信端末１００がビルの谷間、建物内部、室内、移動体内等の、３個以上等の所定数のＧＰＳ衛星からの信号の捕捉が困難な場所にあっても確実に取得することができる。
【００６３】
また、情報管理装置２１０およびＬＥＤ照明２００は、商品・サービスの提供者あるいは場所から比較的近い位置に配設されるので、例えば、商品・サービス情報の提供者の都合で臨時に営業店の中止や休業等をする場合であっても、位置情報や識別情報の出力の停止のための操作が比較的容易に行なうことができ、商品・サービス情報を、営業店の広告情報として携帯通信端末１００に電子メール等で配信したものの、商品・サービスの提供がなされていないという不都合を回避することができる。
【００６４】
なお、上述する実施の形態は、本発明の好適な実施の形態であり、本発明の要旨を逸脱しない範囲内において種々変更実施が可能である。例えば、上記の実施の形態における携帯通信端末１００と、ＬＥＤ照明２００と、情報管理装置２１０と、メールサーバ３００の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【００６５】
上述する実施の形態は、携帯通信端末１００と、ＬＥＤ照明２００と、情報管理装置２１０と、メールサーバ３００が別個の装置として接続されているシステム構成について説明したが、各機能が１つのコンピュータシステムとして実現されている構成や機能毎に複数のサーバ装置等が追加された構成にも適用可能であることはもちろんである。
【００６６】
また、位置情報を送信する位置情報装置として、ＬＥＤ可視光によるＬＥＤ照明を用いたが、これに限定されるものではなく、例えば、ＲＦＩＤ（無線ＩＣタグ）等であってもよい。この場合、携帯通信端末１００はＲＦＩＤリーダを有し、電子メール送信時にＲＦＩＤから情報を取得することとする。また、メールサーバ３００が情報配信を兼ねるのではなく、例えば、携帯通信端末１００からの送信メールが、ＣＣ：（カーボンコピー）やＢＣＣ：（ブラインド・カーボンコピー）として他の情報処理装置に送信され、その情報処理装置が受信メールを解析して情報配信を行なうことであってもよい。
【図面の簡単な説明】
【００６７】
【図１】本発明の実施形態における情報提供システムの概略構成を示す図である。
【図２】携帯通信端末の機能ブロック図である。
【図３】情報管理装置の機能ブロック図である。
【図４】メールサーバの機能ブロック図である。
【図５】情報記憶部の情報テーブルのデータ構成の一例を示す図である。
【図６】位置情報等に応じて情報提供を行なう処理動作を示すフローチャートである。
【符号の説明】
【００６８】
１００    携帯通信端末
２００    ＬＥＤ照明
２１０    情報管理装置
３００    メールサーバ
４００    ネットワーク
【図１】
2006180217.tif 000003
【図２】
2006180217.tif 000004
【図３】
2006180217.tif 000005
【図４】
2006180217.tif 000006
【図５】
2006180217.tif 000007
【図６】
2006180217.tif 000008